(57)【要約】      （修正有）【課題】上蓋付きの携帯電話の上蓋の開閉を容易に行わせると共に、簡便で安価の構造からなり、嗜好性，美観，心の安らぎ等の多機能を有する携帯電話の簡易開閉構造を提供する。【解決手段】携帯電話の上蓋２の開放端には小型のノブ体１が着脱可能に配置され、ノブ体１の係指部１ａに指５を係着することにより上蓋２の開放及び閉止が容易にできる。なお、ノブ体の係指部１ａの形状は任意のものでよく、着色してもよく、蓄光材，発匂材を混入させてもよい。【選択図】図５
0003145463.tif 000002
【実用新案登録請求の範囲】
【請求項１】
携帯電話の簡便な開閉構造であって、該開閉構造は、開閉側の上蓋の開放端側に着脱可能に固着される小型のノブ体からなり、該ノブ体は、指の係着可能で前記上蓋の開放端から突出する係指部と、該係指部に一体的に連結され前記上蓋に貼着可能な接着部を有する貼着部とを有することを特徴とする携帯電話の簡易開閉構造。
【請求項２】
前記接着部が、前記貼着部の前記上蓋と当接する面に設けられるものからなることを特徴とする請求項１に記載の携帯電話の簡易開閉構造。
【請求項３】
前記ノブ体は、任意の形状のものからなり、その材質も樹脂系，ゴム系，ポリカーボ系，金属系，木材等の任意のものからなることを特徴とする請求項１に記載の携帯電話の簡易開閉構造。
【請求項４】
前記ノブ体は、透明又は着色されたものからなることを特徴とする請求項１に記載の携帯電話の簡易開閉構造。
【請求項５】
前記ノブ体は、蓄光材や発匂材を有するものからなることを特徴とする請求項１，３，４のいずれかに記載の携帯電話の簡易開閉構造。
【考案の詳細な説明】
【技術分野】
【０００１】
本考案は、携帯電話の上蓋の開閉、特に開放が容易に出来る開閉構造に係り、特に簡便で安価に出来、嗜好性や美観や発匂等の多機能を有する携帯電話の簡易開閉構造に関する。
【背景技術】
【０００２】
携帯電話としては極めて多種類の形態のものが存在しているが、その内、上蓋を有するものも数多くある。しかしながら、この上蓋の開放端は下板の開放端と殆ど面一であり、その開閉は余り容易でなく不便である。
この不便さを解消するためには何等かの開閉手段が必要であると考えられるが、本願考案の出願人の調査では簡便な開閉手段は見当らない。なお、参考として携帯電話に関する公知技術を「特許文献１」や「特許文献２」を挙げる。
【特許文献１】特開２００３−２１９００３号（図１）
【特許文献２】特開２００６−１４８５４５号（図１）
【考案の開示】
【考案が解決しようとする課題】
【０００３】
「特許文献１」の「特開２００３−２１９００３号」の「二つ折り携帯電話の筐体」はその「図１」に示すように上蓋（３）の開閉手段は存在しない。
一方、「特許文献２」の「特開２００６−１４８５４５号」の「折り畳み式携帯端末装置」は蓋部（２）（前記の上蓋に相当するもの）があるが、このものも開閉手段は何等開示されていない。
【０００４】
以上のように、上蓋の存在する携帯電話の公知技術としてはその簡便の開閉手段はなく、もっぱら上蓋と下板との狭い合わせ目の部分に指等の爪を係止せしめたり、上蓋合体を指で把持した状態で上蓋の開放を行うのが通例であった。なお、仮りに上蓋そのものに一体的に開閉手段を形成することは上蓋の成形時におけるコスト高となり、場合によってはこの開閉手段が邪魔になる問題点がある。
【０００５】
本考案は、以上の事情に鑑みて考案されたものであり、上蓋の開閉が容易にでき、かつコスト高にならず、嗜好性，美観，発匂等の多くの機能を有する携帯電話の簡易開閉構造を提供することを目的とする。
【課題を解決するための手段】
【０００６】
本考案は、以上の目的を達成するために、請求項１の考案は、携帯電話の簡便な開閉構造であって、該開閉構造は、開閉側の上蓋の開放端側に着脱可能に固着される小型のノブ体からなり、該ノブ体は、指の係着可能で前記上蓋の開放端から突出する係指部と、該係指部に一体的に連結され前記上蓋に貼着可能な接着部を有する貼着部とを有することを特徴とする。
【０００７】
また、請求項２の考案は、前記接着部が、前記貼着部の前記上蓋と当接する面に設けられるものからなることを特徴とする。
【０００８】
また、請求項３の考案は、前記ノブ体が、任意の形状のものからなり、その材質も樹脂系，ゴム系，ポリカーボ系，金属系，木材等の任意のものからなることを特徴とする。
【０００９】
また、請求項４の考案は、前記ノブ体が、透明又は着色されたものからなることを特徴とする。
【００１０】
また、請求項５の考案は、前記ノブ体が、蓄光材や発匂材を有するものからなることを特徴とする。
【考案の効果】
【００１１】
本考案の請求項１の携帯電話の簡易開閉構造によれば、上蓋の開放端にノブ体を着脱可能に設け、このノブ体に指等を係止することによって上蓋の開閉が極めて容易に行われる。また、この上蓋のノブ体は着脱可能の構造のため、上蓋とを一体的に成形する必要がなく、安価に製作できる。また、ノブ体は小型のため携帯電話の持ち運びやその使用時等において殆ど邪魔にならない。
【００１２】
また、本考案の請求項２の携帯電話の簡易開閉構造によれば、ノブ体の接着部は貼着部の上蓋と当接する面に設けられているため、上蓋所望の部分にノブ体を貼着することができ、各種形状の上蓋に適用可能である。
【００１３】
また、本考案の請求項３の携帯電話の簡易開閉構造によれば、ノブ体はその形状や材質も任意のものでよく、使用者の嗜好に合わせて各種のものを製作することができ、各層の使用者に使用される。
【００１４】
また、本考案の請求項４の携帯電話の簡易開閉構造によれば、ノブ体を着色したものから形成することにより美観の向上が図れる。
【００１５】
また、本考案の請求項５の携帯電話の簡易開閉構造によれば、ノブ体を蓄光材や発匂材を入れることにより、暗い場所での開閉動作が容易にできると共に、発匂材を用いることにより、気持ちの安らぎ等を得ることができる。
【考案を実施するための最良の形態】
【００１６】
以下、本考案の携帯電話の簡易開閉構造の実施の形態を図面を参照して詳述する。
図１は上蓋２を有する携帯電話１００の模式的斜視図である。図示のように携帯電話１００のケースとしては下板３とこれにヒンジ４を介してその基端側開閉自在に連結する上蓋２とからなる。なお、携帯電話１００の有する各種の電子機器等はこれ等の内部にほぼ収納されている。
【実施例１】
【００１７】
本考案の携帯電話の簡易開閉構造の構成要素としては小型で、図１（ａ），（ｂ）及び図２（ａ），（ｂ）等に示されているノブ体１からなる。このノブ体１は指５の係着する係指部１ａと貼着部１ｂとからなり貼着部１ｂには接着部１ｃが設けられている。
【００１８】
ノブ体１は図２（ａ），（ｂ）に示す構造からなり、係指部１ａはこの実施例ではブロック状の立体部材からなり、下面には例えば、指５が係着し易くするためのＲ部１ｄが形成される。貼着部１ｂは図１（ａ），（ｂ）に示すように上蓋２に当接して接着される薄い平板状のものからなり、その接着側の面には例えば、両面粘着テープのような接着部１ｃが設けられている。
なお、このノブ体１の材質は任意のものでよく、例えば、樹脂系，ゴム系，ポリカーボ系，金属系，木材系等の任意のものが適用される。
【００１９】
また、ノブ体１は、上蓋２の色に合わせた任意の色が使用され、かつ上蓋２と異なる任意の色のものが採用される。即ち、ノブ体１は任意の色彩のものからなる。
【００２０】
また、ノブ体１は各種の蓄光材や発匂材を混入するものも適用され、夜間での使用の便利性を図ると共に、好ましい匂を発散し、気持ちを安らげる効果を上げることができる。
【実施例２】
【００２１】
図３（ａ），（ｂ），（ｃ），（ｄ）はノブ体１の係指部１ａの形態の他の実施例のいくつかを示すものである。係指部１ａは図１や図３（ａ）等に示したブロック状の立体に限定するものではなく、図３（ｂ）の円筒状のもの図３（ｃ）のハート状のもの図３（ｄ）のクローバ状のもの等、その他各種のものが採用される。
また、図３（ｅ）は、ハート型の係指部１ａとハート型の貼着部１ｂとからなるノブ体１を示す。また、ノブ体１は図１（ａ），（ｂ）に示すように上蓋２の裏面に貼着しているものに限らず、図４に示すように貼着部１ｂが上蓋２の表面に貼着するものでもよく、その貼着位置も任意のものでよい。
【００２２】
図５（ａ）は、本考案の携帯電話の簡易開閉構造の開放動作を示すものである。ノブ体１は上蓋２の開放端から突出して配置されているため、このノブ体１の係指部１ａには指５が容易に係着できる。このため、指５を係指部１ａに当てて上方に押し上げることにより、上蓋２はヒンジ４を介して容易に開放される。また、閉止は図示していないが、ノブ体１の係指部１ａの上面等を指５で押すことにより容易に閉止される。
また、図５（ｂ）は上蓋２の表面に貼着部１ｂを貼着したノブ体１を指５により開閉操作するものを示し、上蓋２は用意に開閉できることが分かる。
【００２３】
以上のように、本考案の携帯電話の簡易開閉構造によれば、極めて簡単で安価な構造からなるノブ体１を使用することに上蓋２の開閉が極めて容易に行われ、開閉動作の効率化が図られると共に、前記のような各種の機能を持たせることにより嗜好性，美観，心の安らぎ等を得ることができる。
【００２４】
以上において本考案の携帯電話の簡易開閉構造を説明したが、携帯電話の簡易開閉構造は以上の説明に限定するものではなく、同一技術的範疇のものが適用されることは勿論である。
【産業上の利用可能性】
【００２５】
本考案の携帯電話の簡易開閉構造は、上蓋のある携帯電話のすべてのものに適用可能であり、その利用範囲は極めて広い。
【図面の簡単な説明】
【００２６】
【図１】本考案のノブ体を設けた上蓋付きの携帯電話の模式的斜視図１（ａ）及び上蓋のノブ体の取付け状態を示す図１（ａ）のＡ矢視の側面図（ｂ）。
【図２】本考案におけるノブ体の斜視図（ａ）及びそのＢ矢視の側面図（ｂ）。
【図３】ノブ体の各種の係指部の形態を示す斜視図（ａ），（ｂ），（ｃ），（ｄ）であり、図３（ｅ）は貼着部がハート型のものからなるノブ体を示す。
【図４】ノブ体が上蓋の表面に貼着している状態を示す斜視図。
【図５】本考案における上蓋の開放動作を説明するための模式的側面図。
【符号の説明】
【００２７】
１      ノブ体
１ａ    係指部
１ｂ    貼着部
１ｃ    接着部
１ｄ    Ｒ部
２      上蓋
３      下板
４      ヒンジ
５      指
１００  携帯電話
【図１】
0003145463.tif 000003
【図２】
0003145463.tif 000004
【図３】
0003145463.tif 000005
【図４】
0003145463.tif 000006
【図５】
0003145463.tif 000007